(57)【要約】【課題】廃棄の際に合成樹脂と金属とを簡単に分離することができ、合成樹脂と金属とを分別収集可能にし、廃棄物処理施設等で合成樹脂と金属とに分離しなくて済むようにして、資源の再利用化に適するようにした二重管であって、しかも自然の風合いを感じさせ、心を和ませるようにした二重管を提供する。【解決手段】合成樹脂管１内に、この合成樹脂管１の内径ｄ1 よりも小さい外径ｄ2 を有する金属管２を挿入し、合成樹脂管１の上端部において、金属管２との隙間Ｓを保持しておけるようにして、この合成樹脂管１に栓体３を被嵌し、合成樹脂管１の下端部において、金属管２との隙間Ｓを保持しておけるようにして、この合成樹脂管１に栓体４を被嵌したものとしている。【選択図】 図３
2007186986.tif 000002
【特許請求の範囲】
【請求項１】
合成樹脂管（１）内に、この合成樹脂管（１）の内径（ｄ1 ）よりも小さい外径（ｄ2 ）を有する金属管（２）を挿入し、合成樹脂管（１）の上端部において、金属管（２）との隙間（Ｓ）を保持しておけるようにして、この合成樹脂管（１）に栓体（３）を被嵌し、合成樹脂管（１）の下端部において、金属管（２）との隙間（Ｓ）を保持しておけるようにして、この合成樹脂管（１）に栓体（４）を被嵌したことを特徴とする二重管。
【請求項２】
前記合成樹脂管（１）の上端部において、金属管（２）との隙間（Ｓ）に合成樹脂製の栓体（３）の嵌入部（３ａ）を嵌入するようにし、前記合成樹脂管（１）の下端部において、金属管（２）との隙間（Ｓ）に合成樹脂製の栓体（４）の嵌入部（４ａ）を嵌入するようにしたことを特徴とする請求項１記載の二重管。
【請求項３】
前記合成樹脂管（１）の上端部において、金属管（２）との隙間（Ｓ）に合成樹脂製の栓体（３）の嵌入部（３ａ）を嵌入するようにし、前記合成樹脂管（１）の下端部において、金属管（２）内に合成樹脂製の栓体（４）の嵌入部（４ｂ）を嵌入するようにしたことを特徴とする請求項１記載の二重管。
【請求項４】
前記合成樹脂管（１）の外周面に天然竹の模様を形成したことを特徴とする請求項１〜３のいずれかに記載の二重管。
【請求項５】
前記金属管（２）の上、中、下部の外周面に、合成樹脂管（１）との隙間（Ｓ）に嵌入するようにした合成樹脂製のリング状の嵌入部材（５）を嵌着したことを特徴とする請求項１〜４のいずれかに記載の二重管。
【請求項６】
前記合成樹脂管（１）と金属管（２）とを複数本に分割したものからなるものとし、これら複数本の合成樹脂管（１）どうし、および金属管（２）どうしを、それぞれ連結したことを特徴とする請求項１〜５のいずれかに記載の二重管。
【請求項７】
前記合成樹脂管（１）どうし、および金属管（２）どうしを、連結体（６）を介在させて、それぞれ連結したことを特徴とする請求項６記載の二重管。
【請求項８】
前記合成樹脂管（１）どうしを連結する場合、上方の合成樹脂管（１）の下端を下方の合成樹脂管（１）の上端より小径または大径にして、両者が嵌合するようにしたことを特徴とする請求項６または７記載の二重管。
【請求項９】
前記金属管（２）どうしを連結する場合、上方の金属管（２）の下端を下方の金属管（２）の上端より小径または大径にして、両者が嵌合するようにしたことを特徴とする請求項６または７記載の二重管。
【請求項１０】
前記合成樹脂管（１）どうしの連結部の位置と、金属管（２）どうしの連結部の位置を上下にずらしたことを特徴とする請求項６〜９のいずれかに記載の二重管。
【請求項１１】
前記連結体（６）が、合成樹脂管（１）の連結部の上方において、金属管（２）との隙間（Ｓ）に嵌入するようにした上方嵌入部（６ａ）と、合成樹脂管（１）の端部を被嵌するようにした上方被嵌部（６ｃ）とを有し、さらに合成樹脂管（１）の連結部の下方において、金属管（２）との隙間（Ｓ）に嵌入するようにした下方嵌入部（６ｂ）と、合成樹脂管（１）の端部を被嵌するようにした下方被嵌部（６ｄ）とを有したものであることを特徴とする請求項６〜１０のいずれかに記載の二重管。
【請求項１２】
前記連結体（６）が、連結する上方の合成樹脂管（１）と金属管（２）の下部に、この金属管（２）の内面に接触して嵌入するようにした上方第一嵌入部（１１ａ）と、連結する上方の合成樹脂管（１）の内面に接触すると共に連結する下方の金属管（２）の外面が接触して嵌入するようにした上方第二嵌入部（１１ｂ）とを有する上部連結体（１１）を設け、連結する下方の合成樹脂管（１）と金属管（２）の上部に、この合成樹脂管（１）の端部を被嵌するようにした下方第一被嵌部（１２ａ）と、下方の合成樹脂管（１）の内面に接触すると共に下方の金属管（２）の外面が接触して、これら合成樹脂管（１）と金属管（２）との隙間（Ｓ）に嵌入するようにした下方嵌入部（１２ｂ）を有し、さらに連結する上方の合成樹脂管（１）の端部を被嵌するようにした下方第二被嵌部（１２ｃ）とを有する下部連結体（１２）を設けたものであることを特徴とする請求項７または１０記載の二重管。
【請求項１３】
前記連結体（６）が、連結する上方の合成樹脂管（１）と金属管（２）の下部に、この合成樹脂管（１）の内面に接触すると共に連結する上方の金属管（２）の外面に接触して、これら合成樹脂管（１）と金属管（２）との隙間（Ｓ）に嵌入するようにした上方第一嵌入部（２１ａ）と、連結する上方の合成樹脂管（１）の内面に接触すると共に連結する下方の金属管（２）の外面が接触して嵌入するようにした上方第二嵌入部（２１ｂ）とを有する上部連結体（２１）を設け、連結する下方の合成樹脂管（１）と金属管（２）の上部に、この合成樹脂管（１）の端部を被嵌するようにした下方第一被嵌部（２２ａ）と、下方の合成樹脂管（１）の内面に接触すると共に下方の金属管（２）の外面に接触して、これら合成樹脂管（１）と金属管（２）との隙間（Ｓ）に嵌入するようにした下方嵌入部（２２ｂ）を有し、さらに連結する上方の合成樹脂管（１）の端部を被嵌するようにした下方第二被嵌部（２２ｃ）とを有する下部連結体（２２）を設けたものであることを特徴とする請求項７または１０記載の二重管。
【請求項１４】
前記連結体（６）が、連結する上方の合成樹脂管（１）と金属管（２）の下部に、この合成樹脂管（１）の内面に接触すると共に連結する上方の金属管（２）の外面に接触して、これら合成樹脂管（１）と金属管（２）との隙間（Ｓ）に嵌入するようにした上方嵌入部（２４ａ）を有する上部連結体（２４）を設け、連結する下方の合成樹脂管（１）と金属管（２）の上部に、この合成樹脂管（１）の端部を被嵌するようにした下方第一被嵌部（２５ａ）と、下方の合成樹脂管（１）の内面に接触すると共に下方の金属管（２）の外面に接触して、これら合成樹脂管（１）と金属管（２）との隙間（Ｓ）に嵌入するようにした下方嵌入部（２５ｂ）を有し、さらに連結する上方の合成樹脂管（１）の端部を被嵌するようにした下方第二被嵌部（２５ｃ）とを有する下部連結体（２５）を設けたものであることを特徴とする請求項７または９記載の二重管。
【請求項１５】
前記栓体（３）に、旗の支持棒の支持孔（９）を設けたことを特徴とする請求項１〜１４のいずれかに記載の二重管。
【発明の詳細な説明】
【技術分野】
【０００１】
この発明は、広告宣伝用ののぼり旗の旗竿として、またのれん棒として用いられたり、農園芸などにおける植物支持用の支柱などにも用いられる二重管に関するものである。
【背景技術】
【０００２】
従来、旗竿や支柱としては、古くは天然竹が用いられていた。天然竹は、清楚感に溢れ、素朴さと風合いの良さを兼ね備えており、地球環境に優しく、公害の発生源となることもないので、使い捨て使用するのに好ましく、各種店頭などにおける屋外広告用の旗竿に用いられている。しかし、天然竹を旗竿として使用した場合、形状が不揃いのため大量消費には向かない。また、天然竹は、日光や雨で傷むのが早いので取り替えが大変である。そのため、天然竹は、旗竿として用いられるのには余り適さないといえる。
【０００３】
従来の二重管とした支柱には、例えば図２５に示したような農園芸用支柱が案出されている。この農園芸用支柱は、金属管４１の周壁面に合成樹脂被膜４２を被覆してなる支柱本体４３の両端部に密栓４４を嵌装してなり、密栓４４に支柱本体４３内と外気とが連通する通気孔４５を開設したものとしている（特許文献１）。
【０００４】
このように構成した従来の支柱は、合成樹脂被膜４２の膨れ現象が解消されるために耐久性や美観性が向上するとしている。
【０００５】
さらに、従来の二重管とした支柱には、例えば図２６に示したようなものが案出されている。この支柱は、合成樹脂製栓体５１に金属管５２の外形と略等しい鍔部５３とこの鍔部５３の一端に金属管５２の内径と略等しい嵌合部５４を形成し、この嵌合部５４を金属管５２の少なくとも一端に取着し、金属管５２の外周側面５２ａから鍔部５３の外周側面５３ａにかけて合成樹脂の被覆層５５を形成し、この被覆層５５に、金属管５２の端部と栓体５１との境に沿って、環状突起５６を形成したものにしている（特許文献２）。
【０００６】
このように構成した従来の支柱は、栓体５１が抜脱することなく、栓体５１により金属管５２の内部の水密性が図られ、また環状突起５６に支えられて金属管５２の端部と栓体５１との境での曲げ強度が大きく、かつ被覆層５５の端部が破損しにくく、支柱の端部が保護されるとしている。
【特許文献１】実開昭６３−１６７８５１号公報（第１、３頁、第１図）
【特許文献２】特開平５−２６０８６５号公報（第１、４頁、図１）
【発明の開示】
【発明が解決しようとする課題】
【０００７】
上記従来の二重管とした支柱は、いずれも金属管の外周面に合成樹脂の被覆層を形成しており、この合成樹脂の被覆層が金属管に密着しているので、合成樹脂の被覆層が金属管から剥離することなく、耐久性に優れたものとなり、長期間に渡って使用することができるという利点を有する。
【０００８】
このような上記従来の二重管とした支柱は、近年の資源の再利用化、ゴミの分別収集の細分化等が求められる状況下においては、廃棄の際に合成樹脂の被覆層と金属管とは簡単に分離できることが、廃棄物処理施設等での労力や経費の削減面から望ましい。
【０００９】
しかしながら、上記従来の二重管とした支柱は、合成樹脂の被覆層が金属管に密着して一体化しており、廃棄の際に合成樹脂と金属とを簡単に分離することができず、そのまま廃棄される。したがって、廃棄物処理施設等で合成樹脂と金属とを分離するには、多大な労力や経費がかかるため、埋め立て処理される場合が多く、資源の再利用化を促進することができないという問題点を有していた。
【００１０】
また、上記従来の二重管は、旗竿として使用した場合も、合成樹脂の被覆層が露出しているだけであるので、色調を変化させたとしても、外観が単調で冷たい印象を受けるという問題点を有していた。
【００１１】
そこで、この発明は、上記従来の問題点を解決することをその課題としており、廃棄の際に合成樹脂と金属とを簡単に分離することができ、合成樹脂と金属とを分別収集可能にし、廃棄物処理施設等で合成樹脂と金属とに分離しなくて済むようにして、資源の再利用化に適するようにした二重管であって、しかも自然の風合いを感じさせ、心を和ませるようにした二重管を提供することを目的としてなされたものである。
【課題を解決するための手段】
【００１２】
そのため、この発明の二重管は、合成樹脂管１内に、この合成樹脂管１の内径ｄ1 よりも小さい外径ｄ2 を有する金属管２を挿入し、合成樹脂管１の上端部において、金属管２との隙間Ｓを保持しておけるようにして、この合成樹脂管１に栓体３を被嵌し、合成樹脂管１の下端部において、金属管２との隙間Ｓを保持しておけるようにして、この合成樹脂管１に栓体４を被嵌したものとしている。
【００１３】
そして、この発明の二重管は、前記合成樹脂管１の上端部において、金属管２との隙間Ｓに合成樹脂製の栓体３の嵌入部３ａを嵌入するようにし、前記合成樹脂管１の下端部において、金属管２との隙間Ｓに合成樹脂製の栓体４の嵌入部４ａを嵌入するようにしている。
【００１４】
また、この発明の二重管は、前記合成樹脂管１の上端部において、金属管２との隙間Ｓに合成樹脂製の栓体３の嵌入部３ａを嵌入するようにし、前記合成樹脂管１の下端部において、金属管２内に合成樹脂製の栓体４の嵌入部４ｂを嵌入するようにしている。
【００１５】
さらに、この発明の二重管は、前記合成樹脂管１の外周面に天然竹の模様を形成したものとしている。
【００１６】
また、この発明の二重管は、前記金属管２の上、中、下部の外周面に、合成樹脂管１との隙間Ｓに嵌入するようにした合成樹脂製のリング状の嵌入部材５を嵌着したものとしている。
【００１７】
さらに、この発明の二重管は、前記合成樹脂管１と金属管２とを複数本に分割したものからなるものとし、これら複数本の合成樹脂管１どうし、および金属管２どうしを、それぞれ連結したものとしている。
【００１８】
また、この発明の二重管は、前記合成樹脂管１どうし、および金属管２どうしを、連結体６を介在させて、それぞれ連結したものとしている。
【００１９】
さらに、この発明の二重管は、合成樹脂管１どうしを連結する場合、上方の合成樹脂管１の下端を下方の合成樹脂管１の上端より小径または大径にして、両者が嵌合するようにしている。
【００２０】
また、この発明の二重管は、金属管２どうしを連結する場合、上方の金属管２の下端を下方の金属管２の上端より小径または大径にして、両者が嵌合するようにしている。
【００２１】
さらに、この発明の二重管は、前記合成樹脂管１どうしの連結部の位置と、金属管２どうしの連結部の位置を上下にずらしたものとしている。
【００２２】
また、この発明の二重管は、前記連結体６を、合成樹脂管１の連結部の上方において、金属管２との隙間Ｓに嵌入するようにした上方嵌入部６ａと、合成樹脂管１の端部を被嵌するようにした上方被嵌部６ｃとを有し、さらに合成樹脂管１の連結部の下方において、金属管２との隙間Ｓに嵌入するようにした下方嵌入部６ｂと、合成樹脂管１の端部を被嵌するようにした下方被嵌部６ｄとを有したものとしている。
【００２３】
さらに、この発明の二重管は、前記連結体６が、連結する上方の合成樹脂管１と金属管２の下部に、この金属管２の内面に接触して嵌入するようにした上方第一嵌入部１１ａと、連結する上方の合成樹脂管１の内面に接触すると共に連結する下方の金属管２の外面が接触して嵌入するようにした上方第二嵌入部１１ｂとを有する上部連結体１１を設け、連結する下方の合成樹脂管１と金属管２の上部に、この合成樹脂管１の端部を被嵌するようにした下方第一被嵌部１２ａと、下方の合成樹脂管１の内面に接触すると共に下方の金属管２の外面が接触して、これら合成樹脂管１と金属管２との隙間Ｓに嵌入するようにした下方嵌入部１２ｂを有し、さらに連結する上方の合成樹脂管１の端部を被嵌するようにした下方第二被嵌部１２ｃとを有する下部連結体１２を設けたものにしている。
【００２４】
また、この発明の二重管は、前記連結体６が、連結する上方の合成樹脂管１と金属管２の下部に、この合成樹脂管１の内面に接触すると共に連結する上方の金属管２の外面に接触して、これら合成樹脂管１と金属管２との隙間Ｓに嵌入するようにした上方第一嵌入部２１ａと、連結する上方の合成樹脂管１の内面に接触すると共に連結する下方の金属管２の外面が接触して嵌入するようにした上方第二嵌入部２１ｂとを有する上部連結体２１を設け、連結する下方の合成樹脂管１と金属管２の上部に、この合成樹脂管１の端部を被嵌するようにした下方第一被嵌部２２ａと、下方の合成樹脂管１の内面に接触すると共に下方の金属管２の外面に接触して、これら合成樹脂管１と金属管２との隙間Ｓに嵌入するようにした下方嵌入部２２ｂを有し、さらに連結する上方の合成樹脂管１の端部を被嵌するようにした下方第二被嵌部２２ｃとを有する下部連結体２２を設けたものにしている。
【００２５】
さらに、この発明の二重管は、前記連結体６が、連結する上方の合成樹脂管１と金属管２の下部に、この連結する上方の合成樹脂管１の内面に接触すると共に連結する上方の金属管２の外面に接触して、これら合成樹脂管１と金属管２との隙間Ｓに嵌入するようにした上方嵌入部２４ａを有する上部連結体２４を設け、連結する下方の合成樹脂管１と金属管２の上部に、連結する下方の合成樹脂管１の端部を被嵌するようにした下方第一被嵌部２５ａと、下方の合成樹脂管１の内面に接触すると共に下方の金属管２の外面に接触して、これら合成樹脂管１と金属管２との隙間Ｓに嵌入するようにした下方嵌入部２５ｂを有し、さらに連結する上方の合成樹脂管１の端部を被嵌するようにした下方第二被嵌部２５ｃとを有する下部連結体２５を設けたものにしている。
【００２６】
また、この発明の二重管は、前記栓体３に、旗の支持棒の支持孔９を設けたものとしている。
【発明の効果】
【００２７】
この発明の二重管は、以上に述べたように構成されているので、廃棄の際に合成樹脂と金属とを簡単に分離することができ、合成樹脂と金属とを分別収集可能にし、廃棄物処理施設等で合成樹脂と金属とに分離しなくて済むようにしたので、資源の再利用化に適したものとなる。さらに、この発明の二重管は、合成樹脂管の外周面に天然竹の模様を形成したものでは、自然の風合い感じさせ、心を和ませるものとなる。
【発明を実施するための最良の形態】
【００２８】
以下、この発明の二重管を実施するための最良の形態について、図面に基づき詳細に説明する。
【００２９】
この発明の二重管は、図１に示したような合成樹脂管１と、図２に示したような金属管２よりなる。この金属管２は、前記合成樹脂管１の内径ｄ1 よりも小さい外径ｄ2 を有するものとしており、前記合成樹脂管１内に挿入している。そして、前記合成樹脂管１の上端部において、図３に示したように、金属管２との隙間Ｓに合成樹脂製の栓体３の嵌入部３ａを嵌入するようにし、この隙間Ｓを保持しておけるようにして、この合成樹脂管１に栓体３を被嵌している。さらに、前記合成樹脂管１の下端部において、図５に示したように、金属管２との隙間Ｓに合成樹脂製の栓体４の嵌入部４ａを嵌入するようにし、この隙間Ｓを保持しておけるようにして、この合成樹脂管１に栓体４を被嵌している。
【００３０】
合成樹脂管１は、外周面に天然竹の模様を形成したりして、天然竹に似せたものとするのが、天然竹のように清楚感に溢れ、素朴さと風合いの良さを兼ね備えたものとなり、好ましい。
【００３１】
金属管２は、必要に応じて、上、中、下部の外周面に、合成樹脂管１との隙間Ｓに嵌入するようにした合成樹脂製のリング状の嵌入部材５を嵌着したものとしている。この嵌入部材５により、合成樹脂管１内に挿入した金属管２は、合成樹脂管１内で位置が固定され、がたつかないものとなり、また補強されることにもなる。なお、前記嵌入部材５は、弾性変形するリングの一部を切欠いたものとし、金属管２の上端または下端から差し込むか、切欠いた部分をこじ開けて広げた後、この切欠いた部分が自然に狭まるようにして、金属管２の外周面に嵌め込んだものとしている。
【００３２】
そして、この発明の二重管は、前記合成樹脂管１と金属管２とを複数本に分割したものからなるものとし、これら複数本の合成樹脂管１どうし、および複数本の金属管２どうしを、必要に応じ連結体６を介在させて、それぞれ連結したものとすることができる。この発明の二重管が、２．０〜３．０ｍを超える程度の長さになると、運搬や保管するのに嵩張るので、合成樹脂管１および金属管２を二分割にしたり、三分割にしたものとするのが好ましい。
【００３３】
合成樹脂管１どうしを連結するには、上方の合成樹脂管１の下端を下方の合成樹脂管１の上端より小径または大径にして、両者が嵌合するようにしている。また、合成樹脂管１どうしを連結するには、図４に示したように、合成樹脂管１の連結部の上方において、金属管２との隙間Ｓに嵌入するようにした上方嵌入部６ａと、合成樹脂管１の端部を被嵌するようにした上方被嵌部６ｃとを有し、さらに合成樹脂管１の連結部の下方において、金属管２との隙間Ｓに嵌入するようにした下方嵌入部６ｂと、合成樹脂管１の端部を被嵌するようにした下方被嵌部６ｄとを有した連結体６を介在させたものとすれば、安定した状態で連結することができる。なお、前記連結体６の上方嵌入部６ａおよび下方嵌入部６ｂは、図６に示したような略円筒胴形状としたものにすることができるが、図７に示したように略円筒胴の所々にスリット７を形成したものとしてもよい。このようなスリット７を形成したものにすると、上方嵌入部６ａおよび下方嵌入部６ｂが弾性変形するものとなり、金属管２との隙間Ｓに嵌入し易いものとなる。さらに、合成樹脂管１どうしを連結するには、図８に示したように、合成樹脂管１の連結部の上方において、金属管２内に嵌入するようにした上方嵌入部６ａと、合成樹脂管１の連結部の下方において、金属管２内に嵌入するようにした下方嵌入部６ｂとを有し、さらに一方の合成樹脂管１の端部を被嵌するようにした上方被嵌部６ｃと、他方の合成樹脂管１の端部を被嵌するようにした下方被嵌部６ｄとを有する連結体６を介在させたものとしてもよい。
【００３４】
そして、金属管２どうしを連結するには、図４に示したように、上方の金属管２の下端を下方の金属管２の上端より小径または大径にして、両者が嵌合するようにしている。なお、上方の金属管２の下端を下方の金属管２の上端より小径または大径にするには、図４に示す他、上方の金属管２の全体の径を下方の金属管２の全体の径より小径または大径してもよい。また、上方の金属管２の下端を下方の金属管２の上端より小径または大径にするには、図９に示したように、下方の金属管２の上端にその金属管２の内径と略同一径の外径を有する連結管８の下半分を内挿して固着し、この連結管８の上半分に上方の金属管２の下端を外挿して固着したものとすることができる。さらに、上方の金属管２の下端を下方の金属管２の上端より小径または大径にするには、図１０に示したように、下方の金属管２の上端をその金属管２の外径と略同一径の内径を有する連結管８の下半分に内挿して固着し、この連結管８の上半分に、上方の金属管２の下端を内挿して固着したものとすることもできる。
【００３５】
また、前記合成樹脂管１どうしの連結部の位置と金属管２どうしの連結部の位置が同位置になると、これら連結部の位置での二重管の強度が低下するものとなるので、これらの連結部の位置は上下にずらしたものとするのが好ましい。なお、前記連結部の位置を上下にずらした場合にも、金属管２どうしの連結部の位置は、図４に示したように金属管２との隙間Ｓに嵌入した連結体６の上方嵌入部６ａまたは下方嵌入部６ｂが存在する位置にあるのが、嵌入した上方嵌入部６ａまたは下方嵌入部６ｂによって金属管２どうしの連結部が押さえられ、その連結部の強度がより低下しないものとなるので好ましい。
【００３６】
さらに、前記連結体６は、図１１に示したような連結する上方の合成樹脂管１と金属管２の下部に設けた上部連結体１１と、図１２に示したような連結する下方の合成樹脂管１と金属管２の上部に設けた下部連結体１２とからなるものとしている。この上部連結体１１は、連結する上方の金属管２の内面に接触して嵌入するようにした上方第一嵌入部１１ａと、連結する上方の合成樹脂管１の内面に接触すると共に連結する下方の金属管２の外面が接触して嵌入するようにした上方第二嵌入部１１ｂとを有するものとしている。なお、前記上方第一嵌入部１１ａと上方第二嵌入部１１ｂとの間には、上方の金属管２の端部が上方から、下方の金属管２の端部が下方からそれぞれ当接するようにした段差部１１ｃを設けたものとしている。前記下部連結体１２は、連結する下方の合成樹脂管１の端部を被嵌するようにした下方第一被嵌部１２ａと、下方の合成樹脂管１の内面に接触すると共に下方の金属管２の外面に接触して、これら合成樹脂管１と金属管２との隙間Ｓに嵌入するようにした下方嵌入部１２ｂを有し、さらに連結する上方の合成樹脂管１の端部を被嵌するようにした下方第二被嵌部１２ｃとを有するものとしている。
【００３７】
この場合、前記合成樹脂管１どうし、および金属管２どうしを、それぞれ連結するには、図１３に示したように、連結する下方の金属管２の外面が、前記上部連結体１１の上方第二嵌入部１１ｂの内面に接触するようにして、この上部連結体１１に前記金属管２を嵌入すると共に、連結する上方の合成樹脂管１の端部が、下部連結体１２の下方第二被嵌部１２ｃの内面に接触するようにして、この下部連結体１２に前記合成樹脂管１を嵌入すればよい。
【００３８】
また、前記連結体６は、図１９に示したような連結する上方の合成樹脂管１と金属管２の下部に設けた上部連結体２１と、図２０に示したような連結する下方の合成樹脂管１と金属管２の上部に設けた下部連結体２２とからなるものとしている。この上部連結体２１は、連結する上方の合成樹脂管１の内面に接触すると共に連結する上方の金属管２の外面に接触して、これら合成樹脂管１と金属管２との隙間Ｓに嵌入するようにした上方第一嵌入部２１ａと、連結する上方の合成樹脂管１の内面に接触すると共に連結する下方の金属管２の外面が接触して嵌入するようにした上方第二嵌入部２１ｂとを有するものとしている。なお、前記上方第一嵌入部２１ａと上方第二嵌入部２１ｂとの間には、必要に応じて、上方の金属管２の端部が上方から、下方の金属管２の端部が下方からそれぞれ当接するようにした内鍔部２３を設けたものとし、両者の端部が直接、当接しないようにしている。前記下部連結体２２は、連結する下方の合成樹脂管１の端部を被嵌するようにした下方第一被嵌部２２ａと、下方の合成樹脂管１の内面に接触すると共に下方の金属管２の外面に接触して、これら合成樹脂管１と金属管２との隙間Ｓに嵌入するようにした下方嵌入部２２ｂを有し、さらに連結する上方の合成樹脂管１の端部を被嵌するようにした下方第二被嵌部２２ｃとを有するものとしている。
【００３９】
この場合、前記合成樹脂管１どうし、および金属管２どうしを、それぞれ連結するには、図２１に示したように、連結する下方の金属管２の外面が、前記上部連結体２１の上方第二嵌入部２１ｂの内面に接触するようにして、この上部連結体２１に前記金属管２を嵌入すると共に、連結する上方の合成樹脂管１の端部が、下部連結体２２の下方第二被嵌部２２ｃの内面に接触するようにして、この下部連結体２２に前記合成樹脂管１を嵌入すればよい。
【００４０】
さらに、前記連結体６は、図２２に示したような連結する上方の合成樹脂管１と金属管２の下部に設けた上部連結体２４と、図２３に示したような連結する下方の合成樹脂管１と金属管２の上部に設けた下部連結体２５とからなるものとしている。この上部連結体２４は、連結する上方の合成樹脂管１の内面に接触すると共に連結する上方の金属管２の外面に接触して、これら合成樹脂管１と金属管２との隙間Ｓに嵌入するようにした上方嵌入部２４ａを有するものとしている。なお、前記金属管２は、この上方嵌入部２４ａから下方に突き出したものとしている。前記下部連結体２５は、連結する下方の合成樹脂管１の端部を被嵌するようにした下方第一被嵌部２５ａと、下方の合成樹脂管１の内面に接触すると共に下方の金属管２の外面に接触して、これら合成樹脂管１と金属管２との隙間Ｓに嵌入するようにした下方嵌入部２５ｂを有し、さらに連結する上方の合成樹脂管１の端部を被嵌するようにした下方第二被嵌部２５ｃとを有するものとしている。
【００４１】
この場合、前記合成樹脂管１どうし、および金属管２どうしを、それぞれ連結するには、図２４に示したように、連結する上方の金属管２の外面が、連結する下方の金属管２の内面に沿うように、この上方の金属管２をこの下方の金属管２に差し込むと共に、連結する上方の合成樹脂管１の端部が、下部連結体２５の下方第二被嵌部２５ｃの内面に接触するようにして、この下部連結体２５に前記合成樹脂管１を嵌入すればよい。なお、前記上方の金属管２を下方の金属管２に差し込むには、図２４に示したように、上方の金属管２の全体の径を下方の金属管２の全体の径より小径にしているが、上方の金属管２の下端の径、下方の金属管２の上端の径を、前記図４に示す他、図９、１０に示したようにすることもできる。
【００４２】
そして、この発明の二重管を旗竿に用いる場合には、合成樹脂管１の上端に被嵌した栓体３は、上部材３１を下部材３２に回転自在に組み付けてなるものとしている。この上部材３１の上部押え体３１ａは、上部材３１の下部回転体３１ｂの上端に設けた支持孔９に支持された旗の支持棒（図示せず）を押圧して支持するようにしている。この上部材３１の下部回転体３１ｂの下半部は、図３に示したものでは、カラー３３を介在させて金属管２に遊嵌したものとしている。さらに、前記下部回転体３１ｂの下半部は、図１１、１９に示したものでは、嵌入部３ａの内面に遊嵌したものとしている。そして、図１１に示したものでは、前記下部回転体３１ｂの下半部の下端を金属管２の上端に当接するようにしている。また、図１９に示したものでは、前記下部回転体３１ｂの下半部の下端を、嵌入部３ａに設けた内鍔部３４に当接するようにしている。なお、この内鍔部３４には、金属管２の上端が下方から当接するようにしている。そして、下部材３２は、上端を係合部３２ａとして、この係合部３２ａを合成樹脂管１の上端に係合するようにしており、この係合部３２ａから下の部分を前記嵌入部３ａとして、図３に示したものでは、この嵌入部３ａの全部を、図１１、１９、２２に示したものでは、この嵌入部３ａの下部を、合成樹脂管１と金属管２との隙間Ｓに嵌入するようにしている。なお、上部材３１は一体成形物としているが、下部材３２は一体成形物でなくても、縦割りの二分割体からなる物を合わせた物などとしてもよく、上部材３１を回転自在に組み付けることができればよい。
【００４３】
このようにすると、旗の支持棒は支持孔９に支持された状態で旗に風が当たると、栓体３の上部材３１がその風向きに応じて回ることになり、旗が各方向から見えるものとなって広告宣伝効果に優れたものとなる。
【００４４】
さらに、前記合成樹脂管１の下端部に被嵌する栓体４は、図１２、１７、２０、２３に示したように、金属管２内に嵌入するようにした嵌入部４ｂを有したものとしたり、図１８に示したように、金属管２との隙間Ｓに嵌入するようにした嵌入部４ａを有すると共に、金属管２内に嵌入するようにした嵌入部４ｂを有したものとすることもできる。
【００４５】
以上のように構成したこの発明の二重管は、屋外広告用として、または農園芸における植物の支持などに、長年、使用した結果、傷んでしまった場合には、合成樹脂管１から栓体３、４を外し、さらに複数本の合成樹脂管１どうし、および複数本の金属管２どうしをそれぞれ連結したものでは、栓体３、４および連結体６を外せば、合成樹脂管１から金属管２を引き抜くことができる。
【００４６】
そして、合成樹脂管１から引き抜いた金属管２は、その外周面に合成樹脂製の嵌入部材５を嵌着したものでは、その嵌入部材５外す。さらに、複数本の合成樹脂管１どうし、および複数本の金属管２どうしの連結を外し、合成樹脂管１および金属管２をそれぞれ分割する。
【００４７】
このようにした複数本の合成樹脂管１、栓体３、４、嵌入部材５および連結体６を一纏めにし、また複数本の金属管２を別にして纏めておけば、合成樹脂と金属とに分離して廃棄することができるので、合成樹脂と金属を分別収集することができるものとなる。
【００４８】
したがって、この発明の二重管は、廃棄物処理施設等で合成樹脂と金属とに分離しなくても済むので、資源の再利用化に適したものとなる。
【００４９】
なお、この発明の二重管は、長年、使用した結果、傷んでしまった場合にも、金属管２は合成樹脂管１内に挿入されているため、この金属管２の傷みは少ないので、金属管２のみを再使用することもできる。
【図面の簡単な説明】
【００５０】
【図１】この発明の二重管の一例を示す斜視図である。
【図２】図１に示すこの発明の二重管の合成樹脂管に挿入する金属管の斜視図である。
【図３】図１に示すこの発明の二重管の上部近辺の一部切欠断面図である。
【図４】図１に示すこの発明の二重管の中央部近辺の断面図である。
【図５】図１に示すこの発明の二重管の下部近辺の断面図である。
【図６】図１に示すこの発明の二重管の合成樹脂管の連結体の一例を示す斜視図である。
【図７】図１に示すこの発明の二重管の合成樹脂管の連結体の他の例を示す斜視図である。
【図８】この発明の二重管の中央部近辺の他の実施例の断面図である。
【図９】この発明の二重管の金属管の連結構造の他の例を示す部分断面図である。
【図１０】この発明の二重管の金属管の連結構造のさらに他の例を示す部分断面図である。
【図１１】この発明の二重管の他の例を示しており、上部近辺および上部連結体近辺の断面図である。
【図１２】図１１に示すこの発明の二重管の下部近辺および下部連結体近辺の断面図である。
【図１３】図１１に示すこの発明の二重管の上部連結体と下部連結体との連結部分の断面図である。
【図１４】図１１に示すこの発明の二重管の上部連結体と下部連結体を連結した状態の一部切欠斜視図である。
【図１５】図１１に示すこの発明の二重管の上部連結体の一部切欠斜視図である。
【図１６】図１１に示すこの発明の二重管の下部連結体の一部切欠斜視図である。
【図１７】この発明の二重管の下部近辺の他の例を示す断面図である。
【図１８】この発明の二重管の下部近辺のさらに他の例を示す断面図である。
【図１９】この発明の二重管のさらに他の例を示しており、上部近辺および上部連結体近辺の断面図である。
【図２０】図１９に示すこの発明の二重管の下部近辺および下部連結体近辺の断面図である。
【図２１】図１９に示すこの発明の二重管の上部連結体と下部連結体との連結部分の断面図である。
【図２２】この発明の二重管のさらに他の例を示しており、上部近辺および上部連結体近辺の断面図である。
【図２３】図２２に示すこの発明の二重管の下部近辺および下部連結体近辺の断面図である。
【図２４】図２２に示すこの発明の二重管の上部連結体と下部連結体との連結部分の断面図である。
【図２５】従来の二重管とした支柱の一例を示す断面図である。
【図２６】従来の二重管とした支柱の他の例を示す一部切欠断面図である。
【符号の説明】
【００５１】
１  合成樹脂管
２  金属管
３  栓体
３ａ  嵌入部
４  栓体
４ａ  嵌入部
５  嵌入部材
６  連結体
６ａ  上方嵌入部
６ｂ  下方嵌入部
６ｃ  上方被嵌部
６ｄ  下方被嵌部
９  支持孔
１１  上部連結体
１１ａ  上方第一嵌入部
１１ｂ  上方第二嵌入部
１２  下部連結体
１２ａ  下方第一被嵌部
１２ｂ  下方嵌入部
１２ｃ  下方第二被嵌部
２１  上部連結体
２１ａ  上方第一嵌入部
２１ｂ  上方第二嵌入部
２２  下部連結体
２２ａ  下方第一被嵌部
２２ｂ  下方嵌入部
２２ｃ  下方第二被嵌部
２４  上部連結体
２４ａ  上方嵌入部
２５  下部連結体
２５ａ  下方第一被嵌部
２５ｂ  下方嵌入部
２５ｃ  下方第二被嵌部
ｄ1 内径
ｄ2 外径
Ｓ  隙間
【図１】
2007186986.tif 000003
【図２】
2007186986.tif 000004
【図３】
2007186986.tif 000005
【図４】
2007186986.tif 000006
【図５】
2007186986.tif 000007
【図６】
2007186986.tif 000008
【図７】
2007186986.tif 000009
【図８】
2007186986.tif 000010
【図９】
2007186986.tif 000011
【図１０】
2007186986.tif 000012
【図１１】
2007186986.tif 000013
【図１２】
2007186986.tif 000014
【図１３】
2007186986.tif 000015
【図１４】
2007186986.tif 000016
【図１５】
2007186986.tif 000017
【図１６】
2007186986.tif 000018
【図１７】
2007186986.tif 000019
【図１８】
2007186986.tif 000020
【図１９】
2007186986.tif 000021
【図２０】
2007186986.tif 000022
【図２１】
2007186986.tif 000023
【図２２】
2007186986.tif 000024
【図２３】
2007186986.tif 000025
【図２４】
2007186986.tif 000026
【図２５】
2007186986.tif 000027
【図２６】
2007186986.tif 000028